(57)【要約】【課題】不使用時、すなわち、靴を履いていない状態における振動等によって電力が供給されて発光を有することを防止でき、また、使用時であっても靴を履いている人が任意に発光装置を自由に起動又は停止させることができる靴を提供すること【解決手段】発光器３０と、この発光器３０の点灯又は点滅を制御する制御装置４０と、この制御装置４０を振動や加重によって起動させる検知スイッチ５０と、これらに電力を供給する電池と２０からなる発光ユニット７０と、この発光ユニット７０への電力の供給を外部から手動で制御して発光ユニット７０自体の作動をストップすることができるような手動スイッチ６０を設けた。【選択図】  図５
2005027876.tif 000002
【特許請求の範囲】
【請求項１】
電池と、靴底後面及び靴底側面に取り付けられてなる発光器と、該発光器の点灯又は点滅を制御する制御装置と、該制御装置を振動又は荷重によって起動させる検知スイッチとを備えた発光装置付き靴であって、
靴の外側側面の甲被部分に、前記電池からの電力供給を外部から制御できる手動スイッチを備えたことを特徴とする発光装置付き靴。
【請求項２】
前記発光器は、発光ダイオードであることを特徴とする請求項１に記載の発光装置付き靴。
【請求項３】
手動スイッチは、押圧によりオンオフを切り替えるものであることを特徴とする請求項１又は２に記載の発光装置付き靴。
【請求項４】
手動スイッチが取り付けられた部分の甲被の部分の周囲を薄肉加工してあることを特徴とする請求項３に記載の発光装置付き靴。
【請求項５】
手動スイッチが取り付けられた甲被の部分に手動スイッチの存在を示す目印を付してなることを特徴とする請求項３に記載の発光装置付き靴。
【発明の詳細な説明】
【０００１】
【発明の属する技術分野】
本発明は、発光装置を備えた靴に関するものである。
【０００２】
【従来の技術】
従来の発光装置付き靴としては、靴の表面側に配設されるＬＥＤと靴底に配設されるスイッチと、靴底内に埋設される前記ＬＥＤの電源となる電池を備えており、スイッチが所定量の荷重を感知すると電池からＬＥＤへ電気が流れてこのＬＥＤを自己発光させるものが開示されている（特許文献１参照）。
【０００３】
また、電池、荷重スイッチ、及び前後２個の発光体を備えた発光装置を、透明なる外底と発泡塩化ビニールからなる中間底によって構成された靴底の踵部に埋設して、発光装置の２個の発光体のうち１個を土不踏部方向に、１個を踵部方向に配設し、発光装置の埋設部分から爪先方向に向かって、中間に末広がりの溝を施し、光の通過する道を設けたことを特徴とした光る靴について開示されている（特許文献２参照）。
【０００４】
さらに、従来例による靴として、発光ダイオード等の発光器を配設し、歩行時の踏みつけ荷重を感知するセンサスイッチによって、又は歩行時の振動を感知する振動スイッチ等によって電池からの通電させて発光させるもの。さらに、発光を点滅させたり、複数の発光ダイオードで定められたシーケンス回路によって順次発光させたりするようなものもある（特許文献３〜６参照）。
【０００５】
しかしながら、これらの技術は、歩行時における電力消費等については種々考慮されているが、歩行以外の場所での省電力化については、何ら考慮されていない。例えば、靴を運搬する場合には振動が発生し、この振動によって従来の靴では発光装置に電気を共有し発光してしまい、製品完成後に長距離輸送を行った場合、商品として販売する時点ではかなりの電池が消耗してしまうといったことがあった。
【０００６】
また、昼間で靴を履く場合や、地下街等を歩く場合等のように靴を履いている場合においても発光を欲しない場合もあるが、従来の靴においては自らの意思で発光を止めたり、発光させたりすることができなかった。。
【０００７】
【特許文献１】
実開平４−９６２０５号公報
【特許文献２】
特開平１１−９９００６号公報
【特許文献３】
特開平８−３３２１０２号公報
【特許文献４】
特開平１０−５０１０１号公報
【特許文献５】
特開平１０−８０３０２号公報
【特許文献６】
特開平１０−１７４６０３号公報
【０００８】
【発明が解決しようとする課題】
そこで、本発明は、以上のような問題を鑑みてなされたものであり、不使用時、すなわち、靴を履いていない状態における外部からの振動等によって発光して電気を消費することを防止でき、また、使用時であっても靴を履いている人が任意に発光装置を起動又は停止させることができる靴を提供することにある。
【０００９】
【課題を解決する手段】
以上のような問題点を解決するために本請求項１に係る発明が採った手段は、電池２０と、靴底後面２１及び靴底側面２２配置されてなる発光器３０と、発光器３０の点灯を制御する制御装置４０と、該制御装置４０を振動によって起動させる検知スイッチ５０とを備えた発光装置付き靴１００であって、
靴の外側側面の甲被部分２３に、前記電池２０からの電力供給を外部から制御できる手動スイッチ６０を備えたことを特徴とする発光装置付き靴１００、とするものである。
【００１０】
本発明は、発光器３０と、この発光器３０の点灯又は点滅を制御する制御装置４０と、この制御装置４０を振動や加重によって起動させる検知スイッチ５０と、これらに電力を供給する電池と２０からなる発光ユニット７０と、この発光ユニット７０への電力の供給を外部から手動で制御して発光ユニット７０自体の作動をストップすることができるような手動スイッチ６０を設けたものである。
このように外部から発光ユニット７０自体の作動を停止できるように形成したことにより、例えば、製品を製造した後、販売店等まで輸送され、靴が店頭に並ぶまでの間は発光ユニット７０を作動させずにおくことができる。したがって、その間の電力の消費を防止することができる。特に、輸出入といった長期の輸送時間を有する場合には、電池の消費を完全に抑えることができるので非常に有効である。また、販売された後、使用者が手動スイッチ６０で発光ユニット７０への電力の供給をコントロールすることで、随時発光ユニット７０を作動させたり、停止させたりすることができる。この手動スイッチ６０は、靴の外側側面の甲被部分２３に設けられているので、履いている状態からかがむだけで容易に手動スイッチ６０を切り替えることができる。
【００１１】
さらに、請求項２に係る発明が採った手段は、前記発光器３０は、発光ダイオードであることを特徴とする請求項１に記載の発光装置付き靴１００、とするものである。発光ダイオードは、消費電力が非常に小さいため、使用時の電力の消費を極力抑えることができ、長期使用を可能にすることができる。
【００１２】
さらに、請求項３に係る発明が採った手段は、手動スイッチ６０は、押圧によりオンオフを切り替えるものであることを特徴とする請求項１又は２に記載の発光装置付き靴１００、とするものである。
これは靴を履いた状態で手動スイッチ６０の切り替えを容易に行えることができるように、靴の外側から靴の一部を押圧することでスイッチのオン・オフの切り替えを行うことができるようにしたものである。
【００１３】
さらに、請求項４に係る発明が採った手段は、手動スイッチ６０が取り付けられた部分の甲被の部分２３の周囲を薄肉加工してあることを特徴とする請求項３に記載の発光装置付き靴１００、とするものである。押圧タイプの手動スイッチ６０の場合、甲被全体が硬いと手動スイッチ６０を押しづらくなるので、手動スイッチ６０の周囲に薄肉部（例えば、スイッチの周囲を円形にプレス加工する。）を設けることによって、手動スイッチ６０が存在する場所のみ、へこみ易くして手動スイッチ６０を容易に押すことができるようにしたものである。
【００１４】
さらに、請求項５に係る発明が採った手段は、前記手動スイッチ６０が取り付けられた甲被の部分に手動スイッチ６０の存在を示す目印８０を付してなることを特徴とする請求項３に記載の発光装置付き靴１００、とするものである。
これは、手動スイッチ６０の位置をわかりやすくするために、手動スイッチ６０のある部位にマーキング等の目印８０を設けたものである。
【００１５】
【発明の実施の形態】
以下、本発明の発光装置付き靴１００を、図面に示す実施の形態に従ってさらに詳しく説明する。
（実施例１）
図１は、実施例１における発光装置付き靴の側面図である。図２は、発光装置付き靴の背面図である。図３は、発光装置を示す図である。図４は、検知スイッチの機構を示す図である。図５は、発光装置が靴に取り付けられた状態を示す図である。図６は、図１のＡ−Ａ断面図である。
【００１６】
実施例１における発光装置付き靴１００は、電池２０と、発光器３０と、発光器３０の点灯を制御する制御装置４０と、該制御装置４０を振動によって起動させる検知スイッチ５０とからなる発光ユニット７０と、電池２０から発光ユニット７０への電力の供給を制御する手動スイッチ６０とを備えている。
【００１７】
発光ユニット７０は、電池２０、検知スイッチ５０及び点灯制御回路からなる制御装置４０が回路基板に形成されており、合成樹脂からなるケーシング８５の中に搭載されて一体に形成されている。そして、複数個（実施例１においては４個を用いている）の発光ダイオードからなる発光器３０がこの回路基板にリード線を介して接続されていて、制御装置４０によって発光ダイオードの点灯、点滅の動作が制御されている。このときの発光の動作方法は特に限定するものではなく、全ての発光ダイオードが同じ周期で点滅するものであってもよいし、発光タイミングをずらして点滅させてもよい。勿論、一回の振動で発光する時間も任意に定めうる。
【００１８】
電池２０としては、発光器３０の電源となるものであればよく、マンガン電池、アルカリマンガン電池、リチウム電池、ニッケル−カドミニウム電池又はニッケル−水素電池等種々のものが利用される。
【００１９】
検知スイッチ５０は、靴を履いた状態での歩行による振動を検知して、電源を供給することができるように形成されている。実施例１においては、導電性の材質で作成されたバネを設けて、このバネの振動方向に対して一定距離離れた場所に端子を設けてある。そして、歩行等における振動により、図４の矢印の方向にバネが揺れて、端子に接触したときに電気が流れるように形成されている。この通電により、制御装置路４０が作動して制御された一定期間、発光ダイオードが点灯されることになる。勿論この機構自体は限定するものではない。
【００２０】
手動スイッチ６０は、靴１００に埋設したときにオン・オフの動作がしやすいように、約１ｃｍ四方の平板の中央を押すことで、スイッチのオンオフを行えるタイプのものを用いている。この手動スイッチ６０により発光ユニット７０への電力供給を靴の外部から遮断させることができ、振動で検知スイッチ５０によって入力されても、発光ユニット７０は作動せず、電池２０の電力消費を防止することができる。手動スイッチは上記構成に限定するものではなく、従来からあるものを使用しうる。
【００２１】
以上のように形成された発光装置は、図５に示すように靴に取り付けられている。合成樹脂からなるケーシング８５内に収められた発光ユニット７０は、靴のソールの踵部に設けられた収納部１１０に収められている。そして、発光器３０のうちの２つは靴のソールの靴底側面２２に側方に向けて取り付けられ、残りの２つは、靴のソールの踵部の靴底後面２１に向けて取り付けられている。それぞれの発光器はケーシング内の制御装置等からリード線で連結されている。発光ダイオードが取り付けられている靴のソールの表面には、ダイオードを保護するためのプラスチック製の透明なカバー８８が被せてある。このカバーの表面は、発光された光が広角又は散乱するように、球体に設けたり、凹凸表面をもつように形成するとよい。
【００２２】
さらに、この電池２０から電力を供給したり、停止したりする手動スイッチ６０が発光ユニット７０とリード線で連結された状態で靴の外側側面の甲被部分２３に埋め込まれている。すなわち、手動スイッチ６０が靴の外側の側面の甲被部分２３に位置するように固定してあり、リード線が靴の甲被とその裏側の腰裏の布や皮との間を通って、発光ユニット７０に接続してある。これにより、甲被部分２３のスイッチ部を靴の外側から指で押せば、電池２０からの電力供給のオンオフを制御することができるようになる。この手動スイッチ６０は、靴の外側側面の甲被部分２３のうちくるぶしの下側あたりに配置すれば、靴を履いたままであっても屈むだけで手動スイッチ６０を押しやすくすることができる。
【００２３】
さらに、この手動スイッチ６０が取り付けられた場所の甲被部分２３の周囲に、図６に示したように円形に薄肉部を設けることによって、手動スイッチ６０の位置を一目で認識することができるようになるだけでなく、その薄肉部が折れ曲がり易くなるため手動スイッチ６０を押しやすくなる。さらに手動スイッチ６０の位置をわかり易くするために手動スイッチ６０が存在する場所にマーキング等の目印８０を設けてもよい。勿論この目印の図形は特に限定されない。
【００２４】
【発明の効果】
請求項１に記載の発明によれば、外部から発光ユニット自体の作動を制御できるように形成してあるので、輸送時における電力の消費を防止することができる。特に、輸出入といった長期の輸送時間を有する場合においても電力を消費することがない。また、使用者においても、発光を欲しない場合には、使用者が手動スイッチよって、随時発光ユニットの作動させたり、作動を停止させたりすることができる。
【００２５】
さらに、請求項２に係る発明によれば、発光器に発光ダイオードを用いることで、使用時の電力の消費を極力抑えることができ、長期使用を可能にすることができる。
【００２６】
さらに、請求項３に係る発明によれば、押圧タイプの手動スイッチを用いることで、靴を履いた状態で手動スイッチの切り替えを容易に行えることができるようになる。
【００２７】
さらに、請求項４に係る発明によれば、手動スイッチが取り付けられた部分の甲被の周囲を薄肉加工しておくことで、手動スイッチの部位のみ、へこみ易くしてスイッチを容易に押すことができるようになる。
【００２８】
さらに、請求項５に係る発明によれば、前記スイッチが取り付けられた部分の甲被に手動スイッチの存在を示す目印を設けることで、手動スイッチの位置を容易に認識することができるようになる。
【００２９】
【図面の簡単な説明】
【図１】実施例１における発光装置突き靴の側面図である。
【図２】実施例１における発光装置突き靴の背面図である。
【図３】実施例１における発光ユニットを示す図である。
【図４】実施例１における検知スイッチの機構を示す図である。
【図５】実施例１における発光装置が靴に設置された状態を示す図である。
【図６】図１のＡ−Ａ断面図である。
【符号の説明】
２０          電池
２１          靴底後面
２２          靴底側面
２３          靴の外側側面の甲被部分
３０          発光器
４０          制御装置
５０          検知スイッチ
６０          手動スイッチ
７０          発光ユニット
８０          目印
１００        発光装置付き靴
【図１】
2005027876.tif 000003
【図２】
2005027876.tif 000004
【図３】
2005027876.tif 000005
【図４】
2005027876.tif 000006
【図５】
2005027876.tif 000007
【図６】
2005027876.tif 000008